(57)【要約】【課題】着信報知に利用可能なコンテンツを活用して時間進行タイミングを報知する。【解決手段】この携帯電話端末ＭＴでは、再生シーケンス設定時は、設定手段Ａにより、記憶手段Ｃに記憶されている着信報知に利用可能な複数のコンテンツ（着信報知データファイル）から選択されたユーザ所望のコンテンツにユーザ所望のデータ再生区間を指定することにより、複数のデータ再生区間を順次シーケンシャルに連結して各データ再生区間が所定の順序で再生されるように規定した「再生設定ファイル」が生成され記憶手段Ｄに記憶される。再生実行時には、記憶手段Ｃから設定手段Ａに読み出された再生設定ファイルに従って、各データ再生区間に対応するコンテンツのデータが、順次、記憶手段Ｃから選択的に読み出され（Ｄ）所定順序で再生される（Ｅ）。従って、各データ再生区間が切り替わるタイミングにより、再生開始からの経過時間をユーザに報知することができる。【選択図】図１
2007248926.tif 000002
【特許請求の範囲】
【請求項１】
着信報知に利用可能な複数のコンテンツを記憶した記憶手段と、
上記記憶手段に記憶されたコンテンツのうち何れかのコンテンツを選択的に指定するコンテンツ指定手段と、
上記コンテンツ指定手段により指定されたコンテンツの再生区間を複数指定する再生区間指定手段と、
上記再生区間指定手段により指定された複数の再生区間を所定の順序で連結するように規定した再生設定データを生成する再生設定データ生成手段と、
上記再生設定データ生成手段により生成された再生設定データに従って上記記憶手段からコンテンツを読み出し再生するコンテンツ再生手段であって、当該再生設定データに規定された当該コンテンツの再生区間を当該再生設定データに規定された所定の順序で逐次再生するものと
を具備することを特徴とする携帯電話端末。
【請求項２】
着信報知に利用可能な複数のコンテンツを記憶した記憶手段を具備し、携帯電話端末として機能するコンピュータに、
上記記憶手段に記憶されたコンテンツのうち何れかのコンテンツを選択的に指定するコンテンツ指定ステップと、
上記コンテンツ指定ステップで指定されたコンテンツの再生区間を複数指定する再生区間指定ステップと、
上記再生区間指定ステップで指定された複数の再生区間を所定の順序で連結するように規定した再生設定データを生成する再生設定データ生成ステップと、
上記再生設定データ生成ステップで生成された再生設定データに従って上記記憶手段からコンテンツを読み出し再生するコンテンツ再生ステップであって、当該再生設定データに規定された当該コンテンツの再生区間を当該再生設定データに規定された所定の順序で逐次再生するものと
から成る手順を実行させるためのコンテンツ再生プログラム。
【発明の詳細な説明】
【技術分野】
【０００１】
この発明は、予め記憶されている着信報知に利用可能なコンテンツを活用してユーザがアミューズメント的にコンテンツ再生を楽しむことができる携帯電話端末に関する。
【背景技術】
【０００２】
従来より、携帯電話端末向けに種々の音楽コンテンツやマルチメディアコンテンツが提供されており、携帯用電話端末に提供されたコンテンツは、着信報知やコンテンツ自体を再生して視聴するといった用途に用いられる。例えば、特許文献１の携帯電話機では、記憶された楽曲データのサビ部分に繰返し再生を設定しておき、着信時にイントロを再生した後サビ部分を繰り返し再生して着信を報知する。また、音楽コンテンツは他の用途としてアラーム音声として利用されることもあり、複数のアラームをセットすることができるようになった携帯電話端末もある。
【特許文献１】特開２００４−２５８１８７号公報
【０００３】
しかしながら、従来の携帯電話端末においては、着信報知として利用したり、アラームとして時刻を報知したり、コンテンツ自体を個々に再生して楽しむことができるが、他の用途には利用することができず、また、面白みのある再生ができなかった。例えば、ユーザが開始から５分、１０分、３０分の各タイミングを報知したいと欲したとしても、携帯電話端末の組込み機能として３以上のアラーム設定をサポートしていなければ、各タイミングの報知は不可能であるし、仮に３以上のアラーム設定が可能であったとしても、アラーム「時刻」の設定であるので、利用するたびに各時刻を設定しなおさなければならず、現実問題として上述のようなタイミング通知には利用できない。
【発明の開示】
【発明が解決しようとする課題】
【０００４】
この発明は、このような事情に鑑み、携帯電話端末に予め記憶されている着信報知に利用可能な複数のコンテンツを活用してユーザ所望の時間進行タイミングを報知することができるコンテンツ再生技術を提供することを目的とする。
【課題を解決するための手段】
【０００５】
この発明の主たる特徴に従うと、着信報知に利用可能な複数のコンテンツ（Ｆｄ；Ｆｄ１，Ｆｄ２，…）を記憶した記憶手段（Ｃ；２ｂ、２ｃ）と、記憶手段に記憶されたコンテンツのうち何れかのコンテンツを選択的に指定するコンテンツ指定手段（Ａ；Ｓ２２）と、コンテンツ指定手段により指定されたコンテンツの再生区間を複数指定する再生区間指定手段（Ａ；Ｓ２１→Ｓ２５）と、再生区間指定手段により指定された複数の再生区間を所定の順序で連結するように規定した再生設定データ（Ｆｓ）を生成する再生設定データ生成手段（Ａ；Ｓ２３〜Ｓ２７）と、再生設定データ生成手段により生成された再生設定データ（Ｆｓ）に従って記憶手段（Ｃ）からコンテンツ（Ｆｄ）を読み出し再生するコンテンツ再生手段（Ａ，Ｄ，Ｅ；Ｓ３，Ｓ４）であって、当該再生設定データ（Ｆｓ）に規定された当該コンテンツ（Ｆｄ）の再生区間を当該再生設定データ（Ｆｓ）に規定された所定の順序で逐次再生するもの（Ａ，Ｄ，Ｅ；Ｓ３，Ｓ４）とを具備する携帯電話端末（ＴＭ）〔請求項１〕、並びに、着信報知に利用可能な複数のコンテンツ（Ｆｄ；Ｆｄ１，Ｆｄ２，…）を記憶した記憶手段（２ｂ、２ｃ）を具備し、携帯電話端末として機能するコンピュータ（ＴＭ）に、記憶手段に記憶されたコンテンツのうち何れかのコンテンツを選択的に指定するコンテンツ指定ステップ（Ｓ２２）と、コンテンツ指定ステップで指定されたコンテンツの再生区間を複数指定する再生区間指定ステップ（Ｓ２１→Ｓ２５）と、再生区間指定ステップで指定された複数の再生区間を所定の順序で連結するように規定した再生設定データ（Ｆｓ）を生成する再生設定データ生成ステップ（Ｓ２３〜Ｓ２７）と、再生設定データ生成ステップで生成された再生設定データ（Ｆｓ）に従って記憶手段（２ｂ、２ｃ）からコンテンツ（Ｆｄ）を読み出し再生するコンテンツ再生ステップ（Ｓ３，Ｓ４）であって、当該再生設定データ（Ｆｓ）に規定された当該コンテンツ（Ｆｄ）の再生区間を当該再生設定データ（Ｆｓ）に規定された所定の順序で逐次再生するもの（Ｓ３，Ｓ４）とから成る手順を実行させるためのコンテンツ再生プログラム〔請求項２〕が提供される。なお、括弧書きは、理解の便のために付記した実施例の参照記号、用語等を表わし、以下においても同様である。
【発明の効果】
【０００６】
この発明による携帯電話端末では、再生シーケンス設定時は、記憶手段（Ｃ；２ｂ、２ｃ）に記憶されている着信報知に利用可能な複数のコンテンツ（Ｆｄ；Ｆｄ１，Ｆｄ２，…）から、ユーザ操作に応じた所望のコンテンツが選択され（Ａ；Ｓ２２）、選択されたコンテンツにユーザ操作に応じた所望のデータ再生区間が指定され（Ａ；Ｓ２１→Ｓ２５）、指定された複数の再生区間を順次シーケンシャルに連結して各再生区間が所定の順序で再生されるように規定した再生設定データ（Ｆｓ）が生成される（Ａ；Ｓ２３〜Ｓ２７）。再生実行時には、再生設定データ（Ｆｓ）に従って、各再生区間に対応するコンテンツのデータが順次記憶手段（Ｃ）から選択的に読み出され所定の順序で再生される（Ａ，Ｄ，Ｅ；Ｓ３，Ｓ４）。従って、この発明によれば、携帯電話端末に保持されている着信報知用のコンテンツを活用し、再生設定データに基づき各コンテンツ再生区間が切り替わるタイミングにより、ユーザの所望する時間進行タイミングを報知させることができる。
【発明を実施するための最良の形態】
【０００７】
〔システムの概要〕
図１は、この発明の一実施例による携帯電話端末のシステム構成例を表わす図である。この携帯電話端末ＭＴは、図１（１）のハードウエア構成概略ブロック図に示されるように、中央処理装置（ＣＰＵ）１、記憶装置２、入力操作デバイス３、通信回路（通信インターフェース）４、送受話処理回路５、出力処理回路６などを備え、これらの装置１〜６はバス７を介して互いに接続されている。
【０００８】
記憶装置２は、フラッシュメモリ等の不揮発性半導体メモリで構成され、ランダムアクセスメモリ部（ＲＡＭ部）２ａ、読出専用メモリ部（ＲＯＭ部）２ｂ及び補助記憶部（外部記憶部）２ｃとして機能する。ＲＯＭ部２ｂは、機器全体を統括制御するためのファームウェアやプリセットされた制御プログラム、着信報知データファイル等を記憶しており、補助記憶部２ｃは、新たな着信報知データファイルや再生設定ファイルを含む各種データや他の制御プログラム等を保存するのに利用される。これらの制御プログラムには、この携帯電話端末ＭＴ上で着信報知データファイルをアミューズメント的に利用する「コンテンツ活用処理」と呼ばれる処理を行うためのアプリケーションプログラムが含まれる。
【０００９】
ＣＰＵ１は、記憶装置２のＲＡＭ部２ａ及びＲＯＭ部２ｂと共に本体処理部を構成し、ＲＯＭ部３に記憶されたファームウェアに従い機器全体を統括制御し、また、ＲＯＭ部２ｂ或いは補助記憶部２ｃに記憶された制御プログラムに従って対応するアプリケーションを実行する。ＲＡＭ部２は、各種処理に際してＯＳや各種アプリケーションの作業用エリアとして利用され、必要に応じて、所要のデータを一時的に保持しておくことができる。例えば、コンテンツ活用処理の際には、作成中の再生設定ファイルに関する種々の情報を対応する所定記憶領域に格納することができる。
【００１０】
入力操作デバイス３は、カーソルキー、機能キー（ＳＷ１〜ＳＷ３）、決定キー（ Enter）、文字・数字・記号キー（テンキー類）等のボタン・スイッチ類から成る入力操作子と、これら入力操作子の操作内容を検出して本体処理部（１，２ａ，２ｂ）或いは通信回路４に導入する操作検出回路から成り、例えば、通話先の電話端末を指定したり、補助記憶部２ｃに記憶された複数の着信報知データファイルから所望の着信報知データを実際の着信報知用に指定するのに用いるだけでなく、コンテンツ活用処理プログラム等の種々のアプリケーションに基づく動作モードを指定したり、各動作モードにおけるアプリケーションの設定や進行を制御するのに用いられる。
【００１１】
通信回路４は、送受話処理回路５及びアンテナ８が接続され、通話音声及び送受データの変調及び復調などを行う。また、送受話処理回路５は、送話用音声入力装置（マイク）９及び出力処理回路６に接続され、通話音声の符号及び復号化を行う。さらに、出力処理回路６は、着信受話信号処理部、音響信号処理部、表示処理部などを備え、音響信号処理部は、音源やＤＳＰ（ディジタル信号処理器）等を含む音源ＬＳＩ、Ｄ／Ａ変換器や出力アンプ等を有し、表示処理部はグラフィックカードや点滅制御器を有する。この出力処理回路６には、スピーカやヘッドフォン等の音響出力装置１０、振動出力装置（バイブレータ）１１、ＬＣＤやＬＥＤ等の表示装置１２などの出力装置に接続される。例えば、電話着信時には、着信受話信号処理部及び表示処理部により、音響出力装置１０、バイブレータ１１及び表示装置１２を駆動し、コンテンツを鑑賞等に利用する時には、音響信号処理部及び表示処理部により、記憶手段２ａ〜２ｃに記憶されているコンテンツのデータを音響出力装置１０及び表示装置１２のＬＣＤ（図２：１２ａ）で再生出力させる。
【００１２】
つまり、通常の電話機能については、マイク９及び音響出力装置１０より送受話処理回路５及び出力処理回路６の着信受話信号処理部を通じ、通信回路４、アンテナ８、無線基地局ＢＳ、交換局（図示せず）及び電話通信回線を介して他の電話端末と通話することができる。また、他の電話端末から着信を受けた時には、出力処理回路６によって、バイブレータ１１の振動やＬＥＤ（１２）の点滅で着信を報知するだけでなく、指定された着信報知データファイルに従い、「着メロ」（登録商標）乃至「着ウタ」（登録商標）と呼ばれるメロディや歌唱を音響出力装置１０から放音させたり、着信画面をＬＣＤに表示させることができる。
【００１３】
また、通信回路４は、アンテナ８、無線基地局ＢＳ、交換局（図示せず）及びインターネット等の広域通信ネットワークＣＮを通じて、各種コンテンツを通信端末に配信するコンテンツ提供サイトとして機能する配信サーバＳＶとパケット通信等によりコンテンツデータを授受することができる。配信サーバＳＶには、着信報知データファイルを含む各種コンテンツを電話端末ユーザに提供するためのコンテンツデータベースが設けられており、携帯電話端末ＭＴは、通信回路４を通じて外部の配信サーバＳＶにアクセスし、着信報知データファイルを含む所望のコンテンツをＲＡＭ部２ａに保持したり補助記憶部２ｃに保存することができる。従って、コンテンツ利用時には、ＲＯＭ部２ｂだけでなくＲＡＭ部２ａや補助記憶部２ｃに記憶されたコンテンツの楽音や画像を出力処理回路６の音響信号処理部及び表示処理部を通じて音響出力装置１０やＬＣＤに出力することができる。
【００１４】
図１（２）は、この発明の一実施例によるコンテンツ活用処理時における携帯電話端末の機能ブロック図である。この携帯電話端末ＭＴは、コンテンツ活用処理時の機能をブロックで表わすと、図示のように、設定手段Ａ、計時手段（タイマ）Ｂ、記憶手段Ｃ、読出手段Ｄ及び再生手段Ｅで構成される。
【００１５】
設定手段Ａは、入力操作デバイス３、出力処理回路６の表示処理部、表示装置１２のＬＣＤ（１２ａ）及び本体処理部（１，２ａ，２ｂ）による設定機能に対応し、設定処理の際は、ユーザ操作に従って、コンテンツ再生区間を連続再生するための再生順序を規定する「再生設定ファイル」と呼ばれる再生定義ファイル（Ｆｓ）を作成（編集）し、作成された再生設定ファイルを記憶手段Ｃ（２ｃ）に記憶する。また、再生処理の際には、記憶手段Ｃから再生設定ファイルを読み出し、再生設定ファイルに従って、読出手段Ｄに対し、読み出されるべきコンテンツ再生区間のデータを順次指定し（データ指定）、計時手段Ｂに対し、当該コンテンツ再生時間を規定するタイミング設定を指示する。
【００１６】
計時手段Ｂは、ＣＰＵ１に付属するタイマ及びＣＰＵ１のタイマ制御機能に対応し、設定手段Ａからの時間指示に基づいてコンテンツ再生時間をセットし、セットされた再生時間のカウントに従って読出手段Ｄからのデータ読出しを制御する（タイマ読出し制御）。
【００１７】
記憶手段Ｃは、ＲＯＭ部２ｂ乃至補助記憶部２ｃによるデータ記憶機能に対応し、複数のコンテンツ即ち着信報知データファイル（Ｆｄ）を記憶しており、各着信報知データファイルは少なくとも着信音データを含む。すなわち、着信報知データファイルには、演奏データや音声データに限らず、これら音響データの再生に合わせてＬＣＤ画面に表示される静止画や動画を表わす画像情報や文字情報も含む。また、記憶手段Ｃには、設定手段Ａで作成された１乃至複数の再生設定ファイル（Ｆｓ）が記憶される。
【００１８】
読出手段Ｄは、本体処理部及び出力処理回路６によるデータ読出機能に対応し、計時手段Ｂによるタイマ読出し制御に従って、記憶手段Ｃから、設定手段Ａにより指定されたコンテンツ再生区間のデータ即ちデータファイルの部分データを、順次、読み出す。そして、再生手段Ｅは、出力処理回路６の音響信号処理部及び表示処理部、音響出力装置１０並びに表示装置１２のＬＣＤ（１２ａ）による音響発生乃至表示機能に対応し、読出手段Ｄにより読み出された部分データを、順次、連続的に再生する。
【００１９】
〔キー配置例〕
図２（１）は、携帯電話端末において入力操作デバイスとして用いられるキーの典型的な配置例を示す。この携帯電話端末ＭＴの操作面には、表示装置１２のＬＣＤ１２ａ及び入力操作デバイス３の操作子が配置される。ＬＣＤ１２ａの画面の下端近傍には、ファンクションキー３ａとして用いられる３つのキー「ＳＷ１」〜「ＳＷ３」が配列され、ＬＣＤ画面の下部に表示される機能表記に対応する機能が与えられる。
【００２０】
ファンクションキー３ａの下部には、決定キー（「Ｅｎｔｅｒ」）３ｂの上下左右に４つのカーソルキー（「△」〜「▽」）が配置され、上下移動カーソルキー（「△」、「▽」）３ｃ，３ｄは、ＬＣＤ画面内でカーソルを上下に移動してユーザ所望の項目をカーソルで強調表示して選択的に指示するのに用いられる。また、これらのキーの下部には、電話番号や文字入力に用いられる文字・数字キー等を含むその他キー群３ｅが配置される。
【００２１】
〔記憶内容例〕
図２（２）は、携帯電話端末の記憶装置に記憶されるデータの構成例を表わす。この携帯電話端末ＭＴでは、１乃至複数の再生設定ファイルＦｓ及び複数の着信報知データファイルＦｄが記憶手段Ｃに記憶される。例えば、図２（２）の（２Ａ）に示されるように、複数の再生設定ファイルＦｓ：Ｆｓ１，Ｆｓ２，…が記憶装置２の補助記憶部２ｃに記憶され、（２Ｂ）に示すように、複数の着信報知データファイルＦｄ：Ｆｄ１，Ｆｄ２，…が記憶装置２のＲＯＭ部２ｂ及び／又は補助記憶部２ｃに記憶される。
【００２２】
再生設定ファイルＦｓは、複数の着信報知データファイルＦｄを、順次、連続的に再生する再生シーケンスを定義したものであり、例えば、この携帯電話端末ＭＴにて、後述する設定処理でユーザ操作に応じて作成され補助記憶部２ｃに記憶される。各再生設定ファイルＦｓは、図２の右上（第１再生設定ファイルＦｓ１の内容を例示）に示すように、ヘッダ情報Ｈｓ及び複数セットの再生設定情報Ｒｓ：Ｒｓ１，Ｒｓ２，…から成り、ヘッダ情報Ｈｓは、当該再生設定ファイルＦｓのファイル名（タイトル）や再生設定情報Ｒｓのセット数、総再生時間などをファイル先頭のヘッダ部分に記述したものである。
【００２３】
各セットの再生設定情報Ｒｓ：Ｒｓ１，Ｒｓ２，…は、ファイル指定情報ｓａ、再生位置指定情報ｓｂ、再生開始情報ｓｃ及び再生終了情報ｓｄから成り、各情報ｓａ〜ｓｄは、ＭＩＤＩ等の演奏データと同様に、タイミング情報Δｔｓ：Δｔｓ１，Δｔｓ２，…を伴ったイベントシーケンス形式で記述される。すなわち、ファイル指定情報ｓａは、再生されるデータファイルＦｄを指定し、再生位置指定情報ｓｂは当該データファイルＦｄ中の再生開始位置を指定し、再生開始情報ｓｃは当該再生開始位置からのデータ再生を指示し、再生終了情報ｓｄは当該データ再生をそのタイミングΔｔｓで終了すべきことを指示するイベントを表わし、各イベントのタイミング情報Δｔｓは、直前イベントの発生時点からの時間間隔（増分時間）でタイミングを表わす。なお、これらの情報ｓａ〜ｓｄは、それぞれ、ファイル指定イベント（ｓａ）、再生位置指定イベント（ｓｂ）、再生開始イベント（ｓｃ）及び再生終了イベント（ｓｄ）とも呼ばれ、設定イベントと総称される。
【００２４】
この場合、直前のイベントと同時刻のイベントについては、タイミング情報Δｔｓを省略することができ、図示の例では、ファイル指定イベントｓａと同一タイミングで発生する再生位置指定及び再生開始イベントｓｂ，ｓｃについては、「−」で示されるように、タイミング情報Δｔｓの記述を省略することができる。例えば、第１セットの再生設定情報Ｒｓ１によって、タイミングΔｔｓ１で、ファイル指定イベントｓａ、再生位置指定イベントｓｂ及び再生開始イベントｓｃが発生し、タイミングΔｔｓ２で、再生終了イベントｓｄが発生する。つまり、タイミングΔｔｓ１が時刻ｔ０に相当し、或るデータファイルＦｄがファイル指定されるとすれば、時刻ｔ０〜ｔ０＋Δｔｓ２の間、当該データファイルＦｄのうち「指定された再生開始位置」から「時間Δｔｓ２経過後の時点に相当する位置」までの区間（再生区間と呼ばれる）が再生される。
【００２５】
また、図示の例では、第１セットの再生設定情報Ｒｓ１によるデータファイルＦｄの再生が終了すると（時刻ｔ０＋Δｔｓ２）、直ちに、第２セットの再生設定情報Ｒｓ２による新たなファイル再生が開始し、時刻ｔ０＋Δｔｓ２から時間Δｔｓ３が経過するまでの間、新たなデータファイルＦｄの再生区間が再生され、さらに、第３セット以下の再生設定情報により同様に更に別のデータ再生区間が再生される。
【００２６】
なお、上述の例では、タイミング情報を直前イベント発生時点からの増分時間Δｔｓで表わしたが、再生指令開始時点からの経過時間（絶対時間）で表わすようにしてもよい。また、携帯電話端末ＭＴで再生設定ファイルＦｓを作成する代わりに、配信サーバＳＶ上に再生設定ファイルＦｓや着信報知データファイルＦｄを配信可能に蓄積しておき、配信サーバＳＶからユーザ所望の再生設定ファイルＦｓをダウンロードするように構成してもよく、この場合、併せて、対応するデータファイルＦｄをもダウンロードさせてよい。
【００２７】
着信報知データファイルＦｄ：Ｆｄ１，Ｆｄ２，…は、メロディや歌唱（音声）を表わす音響情報、文字や画像などを表わす表示情報などを時系列で記述したコンテンツであり、予め何れかのデータファイルを着信報知用に設定しておくことにより、この携帯電話端末ＭＴが他の電話端末から着呼を受けたときに当該データファイルを再生して音響出力装置１０やＬＣＤ１２ａからメロディや歌唱を放音させたり着信画面を表示するのに利用することができる。各データファイルＦｄは、図２の右下（第１着信報知データファイルＦｄ１の内容を例示）に示すように、ヘッダ情報Ｈｄ、マスタートラックＴｍ及び再生トラックＴｐ，Ｔｖ，Ｔｉから成る。なお、再生トラックには、少なくとも、演奏トラックＴｐ或いは音声トラックＴｖを含ませ、データファイルＦｄを音楽的コンテンツとして用いることができるようにすることが好ましいが、この例では、更に文字・画像トラックＴｉを含ませてより豊かな再生を楽しむことができるようにしている。
【００２８】
ヘッダ情報Ｈｓは、当該データファイルＦｄのタイトルや制作者名、再生トラック数、標準テンポ、全再生時間などをデータファイル先頭のヘッダ部分に記述したものである。マスタートラックＴｍは、再生トラックＴｐ，Ｔｖ，Ｔｉの再生に係る全体的な時間制御情報（小節線位置など）をタイミング情報Δｔｍ：Δｔｍ１，Δｔｍ２，…と共に時系列的にイベントで記述したものである。
【００２９】
再生トラックＴｐ，Ｔｖ，Ｔｉ中の演奏トラックＴｐは、ＭＩＤＩのように、演奏イベントをタイミング情報Δｔｐ：Δｔｐ１，…と共に時系列シーケンスで記述して演奏データを表わすようにしたものであり、再生の際は演奏イベントシーケンスに従って楽音信号を合成して発音する。音声トラックＴｖは、ＰＣＭ方式で記録された音声データ（オーディオデータ）と、該音声データの再生箇所を指示する音声イベントをタイミング情報Δｔｖ：Δｔｖ１，…と共に時系列で記述した音声イベントシーケンスとから成り、再生の際は、音声イベントシーケンスで指示される音声データに従って音声を発生する。
【００３０】
また、文字・画像トラックＴｉは、文字列や、静止画、動画、アニメーション画像等の画像を記録した文字・画像データと、該文字・画像データの再生箇所を指示する文字・画像イベントをタイミング情報Δｔｉ：Δｔｉ１，…と共に時系列で記述した文字・画像イベントシーケンスとから成り、再生の際は、文字・画像イベントシーケンスで指示される文字・画像データに従って文字・画像を表示する。
【００３１】
各再生トラックＴｐ，Ｔｖ，Ｔｉは、再生指示に応じて、マスタートラックＴｍのイベント進行と共に各内容が同期して再生される。例えば、再生トラックに演奏トラックＴｐだけでなく音声トラックＴｖが含まれる場合は、規定されたタイミングΔｔで、演奏トラックＴｐの演奏イベントに基づく楽音データと音声トラックＴｖの音声イベントに基づく音声データとが同期して再生される。また、文字・画像トラックＴｉが含まれる場合は、演奏トラックＴｐの演奏イベントに基づく楽音データの演奏進行に同期して、文字・画像トラックＴｉの文字・画像イベントに基づく画像やアニメーションの再生が行われる。なお、再生トラックＴｐ，Ｔｖ，Ｔｉの演奏イベント、音声イベント及び文字・画像イベントは、再生イベントと総称される。
【００３２】
〔動作例〕
この発明の一実施例による携帯電話端末においては、上述したように、再生シーケンス設定時は、設定処理段階のコンテンツ活用処理プログラム（コンテンツ再生プログラム）に従い、設定手段Ａにより、記憶手段Ｃに記憶されている着信報知に利用可能な複数のコンテンツ（着信報知データファイル）Ｆｄ：Ｆｄ１，Ｆｄ２，…から選択的に指定されたユーザ所望のコンテンツに対してユーザ所望のデータ再生区間を指定することにより、複数のデータ再生区間を順次シーケンシャルに連結して各データ再生区間が所定の順序で再生されるように規定した再生設定データ（「再生設定ファイル」）Ｆｓが生成され、この再生設定データＦｓは記憶手段Ｄに記憶される。再生実行時には、再生処理段階の同コンテンツ活用処理プログラムに従って、記憶手段Ｃから設定手段Ａに読み出した再生設定データＦｓに規定された各データ再生区間に対応するコンテンツデータ（コンテンツＦｄの部分データ）が、順次、記憶手段Ｃから選択的に読み出され（Ｄ）所定の順序で連続再生される（Ｅ）。これにより、各データ再生区間が切り替わるタイミングによって、再生開始からの経過時間をユーザに報知することができる。
【００３３】
図３は、この発明の一実施例によるコンテンツ活用処理例を表わすフローチャートを示し、図４は、この発明の一実施例による携帯電話端末における画面推移を表わす。この携帯電話端末ＭＴは、入力操作デバイス３に対する所定のユーザ操作によってコンテンツ活用モードになり、コンテンツ活用処理プログラムに従って、図３の処理フローが開始し、ＣＰＵ１は、図４（１）に示されるように、「設定画面」と呼ばれるメイン画面をＬＣＤ１２ａに表示してユーザの指示操作を待機する。この設定画面には、当設定画面のタイトルと共に、下部に３つの機能表記：「設定」、「再生」及び「終了」が表示され、ファンクションキー３ａ：ＳＷ１〜ＳＷ３に、各表記に対応する指示機能が割り当てられる。
【００３４】
ここで、ユーザの指示操作があると、ステップＳ１においてその指示内容が調べられ、「設定」、「再生」及び「終了」の何れであるかを判定する。例えば、ユーザによりファンクションキー３ａ＝ＳＷ１が操作され「設定」が指示されると（Ｓ１＝設定）、ステップＳ２の設定処理を実行して再生設定ファイルＦｓを作成（設定）することができ、この設定処理を終了するとステップＳ１の待機状態に戻る。また、ファンクションキー３ａ＝ＳＷ２が操作されて「再生」が指示されると（Ｓ１＝再生）、ステップＳ３の再生設定ファイル選択処理を経てステップＳ４の再生処理を実行し、この再生処理を終了するとステップＳ１の待機状態に戻る。さらに、ファンクションキー３ａ＝ＳＷ３が操作され「終了」が指示されると（Ｓ１＝終了）、直ちにコンテンツ活用処理を終了し、携帯電話端末ＭＴは、コンテンツ活用モード以前の状態に戻る。つまり、この携帯電話端末ＭＴにおけるコンテンツ活用処理の動作は、再生設定データ（再生設定ファイル）Ｆｓを生成する設定処理段階Ｓ２と、再生設定ファイルＦｓに従ってコンテンツ（着信報知データファイル）Ｆｄを再生する再生処理段階Ｓ３，Ｓ４に分かれる。
【００３５】
１．設定処理段階
まず、「設定」が指示されて（Ｓ１＝設定）ステップＳ２の設定処理に進んだ場合は、再生設定ファイルＦｓｍ（ｍ：１，２，…）を設定（作成）するためにＲＡＭ部２ａ上に設定ファイル格納領域が確保され、また、図４（２）に示すように、「データファイル選択画面」と呼ばれる画面１をＬＣＤ１２ａに表示し、画面１の主表示エリア（主表示部）に、記憶手段２ｂ，２ｃに記憶されたコンテンツ即ち着信報知データファイルＦｄ：Ｆｄ１，Ｆｄ２，…のタイトルを選択指示可能に一覧表示すると共に、画面下部の両端に２つの機能表記：「選択」及び「キャンセル」を表示し、ファンクションキー３ａ：ＳＷ１，ＳＷ３に各表記に対応する指示機能を割り当てて、ユーザの更なる指示操作を待機する。ここで、ユーザの指示操作があると、ステップＳ２１において、その指示内容を調べ、データファイル選択及び「キャンセル」の何れが指示されたかを判定する。
【００３６】
例えば、ユーザが上下移動カーソルキー３ｃ，３ｄを操作してカーソルによる強調表示（図示の斜線部）を画面１の所望のタイトルに移動させ、ファンクションキー３ａ＝ＳＷ１（「選択」）を操作すると、当該タイトルのデータファイルを選択する指示があったと判定し（Ｓ２１＝選択）、ステップＳ２２，Ｓ２４のデータファイル選択処理及びステップＳ２３の終点記述処理を行う。つまり、まず、ステップＳ２２で、カーソルで指示されたデータファイルＦｄを再生すべきデータファイルに選択し、次いで、ステップＳ２３，Ｓ２４で、ＲＡＭ部２ａの設定ファイル格納領域に一時的に記憶される現在設定中の再生設定ファイルＦｓｍについて、直前再生設定情報Ｒｓｐの再生終了イベントｓｄ及び当該再生設定情報Ｒｓｑ（ｑ＝ｐ＋１）のファイル指定イベントｓａの記述処理を行う。
【００３７】
ここで、ステップＳ２２で選択されたデータファイルＦｄの所定区間が再生設定ファイルＦｓｍで最初に再生されるように設定する場合は、ステップＳ２３をスルーし、ステップＳ２４において、所定の再生データ開始時点（例えば、０）を表わすタイミング情報Δｔｓ１と共に、当該データファイルＦｄを指定するファイル指定イベントｓａを記述し、第１セット（最初）の再生設定情報Ｒｓｑ＝Ｒｓ１（ｑ＝１）の作成を開始する。
【００３８】
一方、ステップＳ２２で選択されたデータファイルＦｄの所定区間が第２セット以降の再生設定情報Ｒｓｑ（ｑ：２，３，…）で再生される場合には、まず、ステップＳ２３において、その直前に再生されるように指定されていたデータファイルＦｄの所定区間に対する再生終了イベントｓｄを再生終了タイミング情報Δｔｓと共に記述する終点記述処理を行い、直前の再生設定情報Ｆｓｐ（ｐ：１，２，…）の作成を終了する。なお、この再生終了タイミング情報Δｔｓは、後述する終点指示処理によりＲＡＭ部２ａの再生終了タイミング記憶領域に一時的に保持されており、ステップＳ２３の終点記述処理の後で消去される。続いて、ステップＳ２４で、再生終了イベントｓｄの後に、ステップＳ２２で選択されたデータファイルＦｄを指定するファイル指定イベントｓａを記述し、当該データファイルＦｄに対する再生設定情報Ｒｓｑ（ｑ：２，３，…）の作成を開始する。
【００３９】
データファイル選択処理及び終点記述処理（Ｓ２２〜Ｓ２４）の後、ＣＰＵ１は、図４（３）に示すように、「区間指定画面」と呼ばれる画面２をＬＣＤ１２ａに表示し、ステップＳ２１に戻って画面２に対する次の指示操作を待つ。画面２の上部及び中央部（主表示エリア）には、ステップＳ２１で選択指示されたデータファイルＦｄのタイトルが表示され（上部）、当該データファイルＦｄの全再生区間がマスタートラックＴｍの小節線位置情報に従って小節単位で表示される（中央部）。つまり、或るデータファイルＦｄを選択して読み込むと、当該データファイルＦｄのマスタートラックＴｍの小節線位置情報を読み取り、同データファイルＦｄに規定された小節を表示する。また、画面２の下部には、当初、３つの機能表記：「始点」、「試聴」及び「キャンセル」が表示され（※参照）、ファンクションキー３ａ：ＳＷ１〜ＳＷ３に各表記に対応する指示機能が割り当てられ、各キーに対するユーザの更なる指示操作を待機する。
【００４０】
ここで、ユーザ指示操作があると、ステップＳ２１において、その指示内容を調べ、始点指定、試聴指定及び「キャンセル」の何れを指示しているかを判定する。例えば、上下移動カーソルキー３ｃ，３ｄのユーザ操作により小節をカーソル表示で指示し、ファンクションキー３ａ＝ＳＷ２のユーザ操作によってカーソル表示されたユーザ所望の小節の試聴を指示することによって、試聴処理を行うことができる。試聴処理では、試聴の指示に応じて、当該データファイルＦｄから、指示された小節（再生区間）に対応する演奏トラックＴｍのデータを読み出し、読み出されたデータに基づく演奏音を音響出力装置１０を通じて試験的に再生する。
【００４１】
この場合、「試聴」表記に代えて「視聴」を表記し、ファンクションキー３ａ＝ＳＷ２の操作により、演奏トラックＴｍの再生だけでなく、さらに、指示された小節（再生区間）に対応する音声トラックＴｖや文字・画像トラックＴｉのデータに基づく音声や映像を音響出力装置１０やＬＣＤ１２ａを通じて試験的に再生する視聴処理を行うようにしてもよい。また、文字・映像トラックＴｉのデータを表示する際には、「キャンセル」キーＳＷ３のユーザ操作或いは試験的な再生終了に基づいてＬＣＤ１２ａに画面２を表示して次の指示操作を待つ（Ｓ２１）ように構成することができる。
【００４２】
また、上下移動カーソルキー３ｃ，３ｄの操作でユーザ所望の再生開始小節をカーソル表示しファンクションキー３ａ＝ＳＷ１のユーザ操作によって「始点」を指示すると、当該小節を再生の始点に指定することができ、画面２下部の表記は、図４（３）のように、「終点」、「戻る」及び「完了」に変更される。さらに、カーソルキー３ｄを操作すると、始点の小節からカーソルで指示中の小節までが強調表示される。図４（３）の画面２の主表示エリアは、小節２を開始小節に指定し、現在、小節３にカーソルを合わせている状態を示している。そして、所望の再生終了小節でカーソルを停止してファンクションキー３ａ＝ＳＷ１を操作（「終点」指示）すると、当該小節を再生の終点に指定することができ、始点から終点までの小節が強調表示される。
【００４３】
このようにして再生の始終点の指定操作を行った後、さらに、決定キー３ｂのユーザ操作があると、ステップＳ２１において、区間指定の指示操作があったと判断し（Ｓ２１＝区間指定）、順次、ステップＳ２５，Ｓ２６に進み、選択中のデータファイルＦｄにつきデータ再生区間の始点処理及び終点指示処理を行う。ステップＳ２５の始点処理では、始点の指定に応じて、現在作成している再生設定情報Ｒｓｑのファイル指定イベントｓａ（ステップＳ２４で作成済み）に続き、同ファイル指定イベントｓａで指定されるデータファイルＦｄのマスタートラックＴｍについて、カーソル指示された小節の先頭位置（小節線位置）が再生開始位置であることを指定する再生位置指定イベントｓｂを記述する。
【００４４】
次のステップＳ２６では、再生位置指定イベントｓｂに続いて、当該再生開始位置から再生を開始すべきことを指示する再生開始イベントｓｃを記述して当該データ再生区間の始点処理を終了する。これらの始点処理において、両設定イベントｓｂ，ｓｃは、ファイル指定イベントｓａと同時に発生させるので、タイミング情報Δｔｓの記述を省略する。ステップＳ２６では、更に、データ再生区間の終点指示処理を行う。この終点指示処理では、終点の指示に応じて、現在選択されているデータファイルＦｄのマスタートラックＴｍにおけるカーソル指示小節の終了位置（小節線位置）タイミングΔｔｍに相当する再生終了タイミング情報Δｔｓを、ＲＡＭ部２ａの再生終了タイミング記憶領域に格納（保持）し、これにより、当該データファイルＦｄの再生区間が指定される。
【００４５】
始終点の指定操作及び決定キー３ｂの操作後、さらに、ファンクションキー３ａ＝ＳＷ２の操作で「戻る」を指示すると、図４（２）の画面１をＬＣＤ１２ａに表示し、ステップＳ２１に戻って画面１に対するユーザの次のデータファイル選択指示操作を待機する。
【００４６】
ここで、画面１に対して上下移動カーソルキー３ｃ，３ｄ及びファンクションキー３ａ＝ＳＷ１のユーザ操作があると（Ｓ２１＝選択）、前述したように、新たに選択指示されたデータファイルＦｄについてステップＳ２２〜Ｓ２４のデータファイル選択処理及び終点記述処理を行い、再度、画面２（再生区間指定画面）を表示する。この場合、終点記述処理ステップＳ２３では、終点指示処理でＲＡＭ部２ａの再生終了タイミング記憶領域に格納された直前のデータ再生区間の再生終了タイミング情報Δｔｓと共に当該データファイルＦｄの再生終了イベントを記述して当該データ再生区間の終点処理を終了する。
【００４７】
これにより、直前の再生設定情報Ｒｓｐの作成を終了すると共に、新たにデータファイルＦｄを選択して（新たに選択されるデータファイルＦｄは、既に作成された再生設定情報Ｒｓで指示されるデータファイルＦｄと同じであってもよい）新たな再生設定情報Ｒｓｑの作成を開始し、画面２を利用したユーザ指示操作に従って、上述した始点処理（Ｓ２５，Ｓ２６）、終点処理（終点指示処理Ｓ２６・終点記述処理Ｓ２３）により当該データファイルＦｄの再生区間の指定を行う。従って、ファイル選択（Ｓ２２，Ｓ２４）及び再生区間の設定（Ｓ２５，Ｓ２６，Ｓ２３）を繰り返すことにより、順次、複数セットの再生設定情報Ｒｓ：Ｒｓ１，Ｒｓ２，…，Ｒｓｅ（ｅ≧２）を作成していくことができる。
【００４８】
このようにしてファイル選択及び再生区間の設定を繰り返し、設定中の再生設定ファイルＦｓｍにおける最終セットの再生設定情報Ｒｓｑ＝Ｒｓｅについて、ファイル選択処理（Ｓ２２，Ｓ２４）の後、図４（３）の画面２に対して始終点の指定操作を行い決定キー３ｂの操作すると、始点処理及び終点指示処理（Ｓ２５，Ｓ２６）を行い、ファイル指定イベントｓａ、再生位置指定イベントｓｂ及び再生開始イベントｓｃを記述し、再生終了タイミング情報Δｔｓを保持する。そして、ファンクションキー３ａ＝ＳＷ３のユーザ操作で「完了」が指示されると（Ｓ２１＝完了）、ステップＳ２７に進む。
【００４９】
ステップＳ２７では、終点指示処理で保持されていた再生終了タイミング情報Δｔｓと共に再生終了イベントｓｄを記述し、最終セットの再生設定情報Ｒｓｅの作成を終了すると共に、図４（４）に示すように、「完了画面」と呼ばれる画面３をＬＣＤ１２ａに表示し、画面３に対するユーザ操作に応じて、全再生設定情報Ｒｓの作成が終了した再生設定ファイルＦｓｍにつきタイトルを入力して保存する完了処理を行うことができる。
【００５０】
画面３には、タイトル入力の表題が上部に表示され、中央部（主表示エリア）にはタイトル入力領域Ａｔが書き込み可能に表示され、下部両端には２つ機能表記：「保存」及び「キャンセル」が表示される。ユーザがその他キー群３ｅ中の文字・数字キーを操作して領域Ａｔに当該再生設定ファイルＦｓｍのタイトルを書き込むと、画面３の中央に表記：「ＯＫ」が表示され、更に決定キー３ｂを操作することよりタイトルを入力することができ、これにより、当該再生設定ファイルＦｓｍがＲＡＭ部２ａ上の設定ファイル格納領域で設定（作成）される。さらに、ファンクションキー３ａ＝ＳＷ１の操作で「保存」が指示されると、設定された再生設定ファイルＦｓｍを補助記憶部２ｃに記憶・保存し、図４（１）のメイン画面をＬＣＤ１２ａに表示してステップＳ１に戻り、メイン画面に対するユーザ指示操作を待機する。そして、上述した一連の設定処理を繰り返すことによって、順次、次の再生設定ファイルＦｓｎ（ｎ≠ｍ）を作成し保存していくことができる。
【００５１】
なお、図４（２）〜（４）の画面１〜画面３などのように「キャンセル」表記がある場合にファンクションキー３ａ＝ＳＷ３の操作（「キャンセル」指示）があると、その時点における直前の安定動作状態に戻る。例えば、各画面１〜３への移行当初の状態でキャンセル指示されたときは、夫々、図４（１）〜（３）のメイン画面〜画面２の動作状態に戻る。また、画面３の領域Ａｔへのタイトル書き込み中又は後の状態でキャンセル指示されたときは画面３への移行当初の動作状態に戻り、「ＯＫ」表示で決定キー３ｂを操作した後の状態でキャンセル指示されたときはタイトル書き込み直後の動作状態に戻る。
【００５２】
２．再生処理段階
次に、図４（１）のメイン画面で「再生」が指示されたときは（Ｓ１＝再生）、ステップＳ３に進み、図４（５）に示すように、「設定ファイル選択画面」と呼ばれる画面４をＬＣＤ１２ａに表示し、画面４の主表示エリアに、補助記憶部２ｃに記憶された再生設定ファイルＦｓ：Ｆｓ１，Ｆｓ２，…のタイトルを選択指示可能に一覧表示すると共に、画面下部の両端に２つの機能表記：「開始」及び「キャンセル」を表示し、ファンクションキー３ａ：ＳＷ１，ＳＷ３に各表記に対応する指示機能を割り当てて、ユーザの更なる指示操作を待機する。
【００５３】
ここで、上下移動カーソルキー３ｃ，３ｄのユーザ操作により所望のタイトルがカーソル指示されファンクションキー３ａ＝ＳＷ１のユーザ操作で「開始」が指示されると、ステップＳ３に進み、カーソルで指示された再生設定ファイルＦｓを再生に使用する再生設定ファイルとして選択する再生設定ファイル選択処理を行い、更にステップＳ４に進み、当該再生設定ファイルＦｓに従って、着信報知データファイルＦｄを選択し、選択されたデータファイルにおける再生開始位置を設定し、データ再生を開始及び終了させる再生処理を実行する。なお、再生設定ファイルＦｓのシーケンス自体の再生とこれらシーケンスに規定される各データファイルＦｄの再生とは、独立して（並行して）実行される。
【００５４】
再生処理（Ｓ４）の第１ステップＳ４１では、再生時間を計時する計時手段Ｂのタイマを初期化し、次のステップＳ４２では、時間経過に従って、ステップＳ３で選択された再生設定ファイルＦｓを先頭イベントから順次読み出し、当該再生設定ファイルＦｓに次の設定イベントがあるか否かを判定する。ここで、次の設定イベントがあると（Ｓ４２＝あり）、ステップＳ４３に進み、当該設定イベントに応じたデータ再生を行い、図４（６）に示すように、「データ再生画面」と呼ばれる画面５をＬＣＤ１２ａに表示する。
【００５５】
再生処理開始当初は、ステップＳ４１からステップＳ４２を経てステップＳ４３に進んで、当該再生設定ファイルＦｓの指示に基づいて先頭の設定イベントから直ちにデータ再生処理を開始し、逐次、ステップＳ４２に戻って次の設定イベントの有無を判定し、設定イベントがある（Ｓ４２＝あり）間は、ステップＳ４３のデータ再生処理を繰り返して、順次、各設定イベントに応じたデータ再生を進行する。ここで、選択された再生設定ファイルＦｓに含まれる複数セットの再生設定情報Ｒｓ１，Ｒｓ２，…，Ｒｓｅ（ｅ≧２）の設定イベントは、ファイル指定イベントｓａで、再生される着信報知データファイルＦｄを指定し、再生位置指定イベントｓｂで、再生を開始するマスタートラックＴｍの小節線位置イベントを指定し、再生開始イベントｓｃで、同小節線位置イベントに対応する再生トラックＴｐ，Ｔｖ，Ｔｉの各再生イベントからのデータ再生を指示し、また、再生終了イベントｓｄでデータ再生の終了を指示するように機能する。従って、最初にステップＳ４３に進んだときは、第１セットの再生設定情報Ｒｓ１の設定イベントｓａ〜ｓｃによる指示に基づいて、タイミングΔｔｓ１＝ｔ０で出力処理回路６にデータ再生開始を指示し、所定の着信報知データファイルＦｄの再生トラックＴｐ，Ｔｖ，Ｔｉから、当該小節線位置イベントのタイミングに対応する再生イベント以降のデータを、順次、出力処理回路６に供給し、これら再生イベントに基づくデータ再生を行わせる。
【００５６】
例えば、指定されたデータファイルＦｄにおける演奏及び音声トラックＴｐ，Ｔｖのイベントによる再生音響信号は、出力処理回路６から音響出力装置１０に出力される。また、文字・画像トラックＴｉのイベントによる再生映像信号は、出力処理回路６から表示装置１２に出力され、当該データファイルＦｄに対応する再生画面がＬＣＤ１２ａに現れる。これにより、画面５の主表示エリアには、図４（６）のように、当該データファイルＦｄのタイトル表示や文字・画像トラックＴｉの内容に応じた画像が表示される。
【００５７】
また、データ再生の開始（Δｔｓ１＝ｔ０）後、再生設定情報Ｒｓ１の再生終了タイミングΔｔ２が経過すると、再生終了イベントｓｄにより当該データ再生区間のデータ再生を終了し、第２セットの再生設定情報Ｒｓ２の設定イベントｓａ〜ｓｃによる指示に基づいて、所定着信報知データファイルＦｄの再生トラックＴｐ，Ｔｖ，Ｔｉにおける所定の再生イベント以降のデータ再生を行う。さらに、再生設定情報Ｒｓ２の再生終了タイミングΔｔ３が経過すると、当該データファイルＦｄのデータ再生を終了して次の再生設定情報Ｒｓに基づくデータ再生を開始し、最終セットの再生設定情報Ｒｓｅの再生終了タイミングΔｔｅに相当する時間になるまで、同様のデータ再生処理を繰り返す。
【００５８】
なお、データ再生中は、図４（６）のように、画面５（データ再生画面）の下部に機能表記：「停止」を表示し、ファンクションキー３ａ＝ＳＷ１のユーザ操作で「停止」が指示されると、データ再生を停止し、ＬＣＤ１２ａに図４（５）の画面４を表示してステップＳ３に戻り、ユーザによる再生設定ファイルの再選択操作を待つ。
【００５９】
そして、最終再生設定情報Ｒｓｅの再生終了タイミングΔｔｅに相当する時間が経過して、その再生終了イベントｓｄにより再生設定ファイルＦｓの全設定イベントに応じた全区間のデータ再生を終了すると、ステップＳ４２で、次に読み出すべき設定データがないと判定し（Ｓ４２＝なし）、ＬＣＤ１２ａに図４（１）のメイン画面を表示してステップＳ１に戻り、メイン画面に対するユーザの再指示操作を待つ。なお、１つの再生設定ファイルＦｓに基づく全区間の再生が終了したときには、図４（６）に破線で示すように、「停止」指示操作の場合と同様に、ＬＣＤ１２ａに図４（５）の画面４を表示してステップＳ３に戻り、ユーザによる再生設定ファイルの再選択操作を待つようにしてもよい。
【００６０】
〔別の処理例〕
図３の動作例では、複数のコンテンツ再生区間をシーケンシャルに設定し、再生されるコンテンツ再生区間が切り替わるタイミング（Δｔｓ２，Δｔｓ３，…）によって時間間隔を報知するようにし、このタイミングをコンテンツ再生区間の時間長に依存するようにしているが、これに加えて、次の実施形態のように、報知すべき時間間隔を定めてこれを報知するようにしてんもよい。
【００６１】
この実施形態では、再生設定ファイルＦｓの設定処理時には、図３の処理フローにおけるステップＳ２の設定処理と同様の処理が行われるが、さらに、ファイル指定ステップＳ２４で、選択されたデータファイルＦｄを指定するファイル指定イベントｓａを記述すると共に、選択されたデータファイルＦｄを再生すべき時間即ちデータ再生区間の長さ（例えば、５分）を指定する再生時間情報を付記する。この再生時間情報は、再生設定ファイルＦｓのファイル指定イベントｓａのパラメータとして付加してもよいし、ファイル指定イベントｓａとは別に、同タイミングで発生される時間設定イベントを独立して設けてもよい。この場合、再生設定ファイルＦｓは、形式は「イベントシーケンス」であるが、タイミング情報Δｔｓに従った全体の制御は行われない（Δｔｓは再生区間の設定／制御にのみ有効）。
【００６２】
データファイルＦｄ及びその再生区間（始点〜終点）を指定する操作（Ｓ２２，Ｓ２４〜Ｓ２６，Ｓ２３参照）に加えて、入力操作デバイスの操作により、当該データ再生区間の再生時間情報を入力し設定する。この場合、再生時間情報を指定する時間分解能は、任意でよいが、好適には、分単位での数値をその他キー群３ｅの数字キーにより入力するか、或いは、ＬＣＤ画面に予め設定された時間値選択肢を選択操作可能に表示し、カーソルキー３ｃ，３ｄや決定キー３ｂの操作に応じて時間値を選択するようにしてもよい。
【００６３】
図５は、この実施形態の再生処理として実行される別のコンテンツ活用処理による再生処理例を表わすフローチャートである。つまり、この実施形態では、再生設定ファイルＦｓに基づくデータ再生処理の際は、図３の処理フローにおけるステップＳ４の再生処理に代わり、別のコンテンツ活用処理プログラムによって、図５にステップＳ４ａで示される再生処理２が実行される。従って、図３の処理フローにおいて、ステップＳ３でユーザ所望の再生設定ファイルＦｓが選択されると、図５のステップＳ４ａに進む。
【００６４】
ステップＳ４ａの再生処理２では、まず、ステップＳ４５で、選択された再生設定ファイルＦｓの内容を先頭から調べてファイル指定イベントｓａがあるか否かを判定する。ここで、ファイル指定イベントがあると（Ｓ４５＝あり）、当該ファイル指定イベントｓａから次のファイル指定イベントの直前の再生終了イベントｓｄまでの設定情報即ち１再生設定情報セットＲｓ分の設定イベントｓａ〜ｓｄ及び再生時間情報を読み出し、ステップＳ４６で再生時間タイマの初期化を行い、ステップＳ４７，Ｓ４８でデータファイルの再生区間を設定し、ステップＳ４９にて、再生時間タイマの状態による再生制御のもとに、設定された再生区間のデータを繰り返し再生する。
【００６５】
より詳しく説明すると、計時手段Ｂのタイマには、例えば、セットされた時間をカウントダウンする再生時間タイマの機能をもたせ、ステップＳ４６では、ファイル指定イベントｓａの読出しに応じて再生時間タイマを初期化し、さらに、ファイル指定イベントｓａで指定さるデータファイルＦｄのデータ再生に対して、読み出された再生時間情報により指定されるデータ再生時間をセットする。例えば、１分のデータ再生時間が指定された場合は、60,000ミリ秒（msec）を初期値とする。
【００６６】
ステップＳ４７では、読み出された再生位置指定イベントｓｂをＲＡＭ部２ａの始点情報格納領域に一時記憶し、当該再生位置指定イベントｓｂにより、データファイルＦｄのマスタートラックＴｍについて再生を開始する小節線位置イベントを設定する。また、ステップＳ４８では、読み出された再生終了イベントｓｄのタイミング情報ΔｔｓをＲＡＭ部２ａの終点情報格納領域に一時記憶する。この再生終了タイミング情報Δｔｓは、データファイルＦｄのマスタートラックＴｍにおいて再生を開始する小節線位置イベントから再生を終了する小節線位置イベントまでの経過時間を表わすので、ステップＳ４７，Ｓ４８の記憶処理によりデータ再生区間が設定される。
【００６７】
さらに、ステップＳ４９では、読み出された再生開始イベントｓｃに応じて、データファイルＦｄのマスタートラックＴｍにおける再生開始の小節線位置イベントに対応する再生トラックＴｐ，Ｔｖ，Ｔｉの再生イベントからデータ再生を開始する。以後、再生時間タイマにセットされたデータ再生時間が０になるまで、再生開始の小節線位置イベントから再生終了の小節線位置イベントまでの設定再生区間に対応する再生イベントに従ってデータ再生を繰り返し行う。つまり、データ再生を開始してからデータ再生時間が経過するまでは、指定されたデータ再生区間を繰り返し再生するループ再生を行う。
【００６８】
そして、ここで、再生時間タイマに設定された時間が経過した時点でステップＳ４９のデータ再生を終了し、ステップＳ４５に戻り、次ファイル指定イベントｓａの有無を判定する。従って、次のファイル指定イベントｓａがある間は（Ｓ４５＝あり）、再生設定ファイルＦｓに含まれる各再生設定情報セットＲｓの設定イベントｓａ〜ｓｄ及び再生時間情報に従って、上述したステップＳ４６〜Ｓ４９の処理を実行する。そして、再生設定ファイルＦｓの最終再生設定情報セットＲｓｅによるデータ再生が終了してステップＳ４５に戻ると、次のファイル指定イベントｓａがないので（Ｓ４５＝なし）、図３のステップＳ１ＬＣＤ１２ａに図４（１）のメイン画面を表示してステップＳ１に戻り、メイン画面に対するユーザの再指示操作を待つ。
【００６９】
〔種々の実施態様〕
以上、この発明の好適な一実施例について説明したが、これは単なる一例であって、この発明は、発明の精神を逸脱しない範囲で種々の変更が可能であり、種々の態様で実施することができる。例えば、実施例では、小節位置で再生区間を指定するようにしたが、小節位置でなく、再生開始からの時間位置で再生区間を指定するようにしてもよい。この場合、各イベント間のイベント時刻Δｔを累算することで再生時刻を算出することができるので、例えば、選択されたデータファイル（着信音データ等の着信報知データファイルを含むコンテンツ）の再生イベントを順次再生しながら再生開始及び終了タイミングをユーザのボタン操作で指定するようにすればよい。
【００７０】
再生区間を演奏トラックを基準に指定するだけでなく、音声トラックに記録された音声ファイルの再生時間位置（の区間）、文字・画像トラックに記録されたアニメーションや動画の再生時間位置（の区間）で指定するようにしてもよい。この場合、再生設定ファイルでは、“再生位置”として音声データ等の再生開始位置（アドレス或いは再生時刻ベースのタイムコード）を更に指定する情報を記述しておく。
【００７１】
実施例では、再生設定ファイルで指定される各データファイル（コンテンツ）について再生終了イベント（ｓｄ）を記述するようにしたが、再生終了イベントを省略し、次のデータファイルの指定に応じて直前のデータファイルの再生を終了するようにしてもよい。
【００７２】
また、再生設定ファイルで設定可能なシーケンスは１系列に限らず複数系列で構成するようにしてもよい。このように構成した場合、複数のデータファイル（コンテンツ）を同時に再生することができる。
【００７３】
再生処理については、再生設定ファイルのシーケンスに従って複数のデータファイル（コンテンツ）の内容を合成したものを一時記憶し、これを再生するようにしてもよい。
【００７４】
また、再生するデータファイル（コンテンツ）を切り替える際に、すなわち、次のデータファイルが再生されるべく指定されたときに、フェードアウト・フェードイン等の再生エフェクトをかけてもよい。
【００７５】
さらに、データファイル（コンテンツ）の再生切替え時に、音響出力装置（１０）、振動出力装置（１１）、表示装置（１２）のＬＥＤなどによるビープ音やチャイム等の効果音、バイブレータの駆動、ＬＥＤの発光など、所定の効果を実行するようにしてもよい。
【図面の簡単な説明】
【００７６】
【図１】この発明の一実施例による携帯電話端末のシステム概要図である。
【図２】この発明の一実施例による携帯電話端末におけるキー配置及び記憶内容の例を表わす図である。
【図３】この発明の一実施例によるコンテンツ活用処理例を表わすフローチャートである。
【図４】この発明の一実施例による携帯電話端末の画面推移を表わす図である。
【図５】この発明の一実施例による別のコンテンツ活用処理による再生処理例を表わすフローチャートである。
【符号の説明】
【００７７】
ＭＴ  携帯電話端末、
Ｆｓ：Ｆｓ１，Ｆｓ２，…  再生設定ファイル（再生設定データ）、
Ｒｓ：Ｒｓ１，Ｒｓ２，…，Ｒｓｅ  再生設定情報セット、
Ｆｄ：Ｆｄ１，Ｆｄ２，…  着信報知データファイル（コンテンツ）。
【図１】
2007248926.tif 000003
【図２】
2007248926.tif 000004
【図３】
2007248926.tif 000005
【図４】
2007248926.tif 000006
【図５】
2007248926.tif 000007